(57)【要約】【課題】ストッパとアームの係止部から構成されるストッパ機構におけるストッパに緩衝機能向上を目的としてウレタンエラストマ等の低反撥材を使用し、係止部と当接された状態で長時間放置された場合であっても、ストッパと係止部が固着若しくは粘着することがなく、しかも、係止部と当接するストッパ部位の表面が均一に形成されていて特性にバラツキのないストッパを提供する。【解決手段】ストッパ８の少なくとも係止部７と当接する部位に形成された凹凸部１０の面粗さが７乃至２５ＲＺＪＩＳであり、面粗さ周期が３乃至３０μｍであることとした。【選択図】図１
2006040373.tif 000002
【特許請求の範囲】
【請求項１】
磁気ヘッドを有するアームに形成されている係止部と当接し、少なくとも係止部と当接する部位に低反撥材が使用されているストッパにおいて、
前記ストッパの少なくとも前記係止部と当接する部位に形成された凹凸部の面粗さが７乃至２５ＲＺＪＩＳであり、面粗さ周期が３乃至３０μｍであることを特徴とするストッパ。
【請求項２】
磁気ヘッドを有するアームに形成されている係止部と当接し、少なくとも係止部と当接する部位に低反撥材が使用されているストッパにおいて、
前記ストッパに使用されている前記低反撥材の材料硬度が９４乃至９８であることを特徴とするストッパ。
【発明の詳細な説明】
【技術分野】
【０００１】
本発明は、電子機器用、特に磁気記録装置（ハードディスク）のアームに用いられ、その他、自動車・一般産業分野でも用いられるスットパ機構におけるストッパに関するものである。
【背景技術】
【０００２】
従来の磁気記録装置では、回転軸を中心に反径方向に移動する磁気ヘッドを先端部に有するアームの位置決めのために、回転軸を介して磁気ヘッドの反対側に位置するアームの係止部とストッパとでストッパ機構を構成し、ストッパに緩衝機能を保持させるためにエラストマを使用しているが、装置の小型化や容量増大等に伴う緩衝機能の強化を目的にエラストマに対する反撥特性向上の要求が強く、ストッパにウレタンエラストマ等の低反撥材を使用する場合が多くなっている。低反撥材を使用すると、反撥弾性が小さくなるので当接時に係止部とストッパとの接触面積が増大し、しかも磁気記録装置を運転すると筐体内部温度は４０乃至１００℃に達するので、運転後若しくは運転時と同様な雰囲気に放置後に室温若しくは０℃前後の低温の停止状態であって係止部とストッパが当接状態で放置されると、アームの係止部は金属製であり表面が平坦であるためストッパとの当接面で固着若しくは粘着現象が発生し、再運転の際にボイスコイルモータに規定の励磁をさせても、起動できないという問題点があった。
【０００３】
この問題点を解決するために下記特許文献１では、ストッパの表面に凹凸を形成して表面を粗くする方法が提案されている。しかし、ストッパの表面に形成される凹凸の程度が小さい場合、使用されるウレタンエラストマ等の低反撥材の特性として高温で硬度が低下するので接触面積の増加により粘着性の改善効果が認められず、逆に表面に形成された凹凸の程度が大きい場合、ストッパの成形加硫時にストッパが金型に密着してしまい、金型から取り出すときの離型時に山部が引きちぎられ凹凸部が設計通り表面に形成されないので、ストッパの特性にバラツキが生じるという問題があった。
【０００４】
【特許文献１】特開平０８−０８７８４２号公報
【発明の開示】
【発明が解決しようとする課題】
【０００５】
本発明は以上の点に鑑みて、ストッパとアームの係止部から構成されるストッパ機構におけるストッパに緩衝機能向上を目的としてウレタンエラストマ等の低反撥材を使用し、係止部と当接された状態で長時間放置された場合であっても、ストッパと係止部が固着若しくは粘着することがなく、しかも、係止部と当接するストッパ部位の表面が均一に形成されていて特性にバラツキのないストッパを提供することを目的とする。
【課題を解決するための手段】
【０００６】
上記目的を達成するため、本発明の請求項１によるストッパは、磁気ヘッドを有するアームに形成されている係止部と当接し、少なくとも係止部と当接する部位に低反撥材が使用されているストッパにおいて、前記ストッパの少なくとも前記係止部と当接する部位に形成された凹凸部の面粗さが７乃至２５ＲＺＪＩＳであり、面粗さ周期が３乃至３０μｍであることを特徴とするものである。
【０００７】
また、本発明の請求項２によるストッパは、磁気ヘッドを有するアームに形成されている係止部と当接し、少なくとも係止部と当接する部位に低反撥材が使用されているストッパにおいて、前記ストッパに使用されている前記低反撥材の材料硬度が９４乃至９８であることを特徴とするものである。
【発明の効果】
【０００８】
本発明は、以下の効果を奏する。
【０００９】
上記構成を備えた本発明の請求項１におけるストッパは、磁気ヘッドを有するアームに形成されている係止部と少なくとも当接する部位に凹凸部が形成されており、該凹凸部の面粗さが７乃至２５ＲＺＪＩＳであり、面粗さ周期が３乃至３０μｍであるので、係止部と当接する部位に低反撥材が使用されていて、しかも係止部がストッパに当接した状態で長時間放置された場合であっても係止部とストッパが固着若しくは粘着することを防止することができ、またストッパの成形加硫時にストッパが成形加硫用金型に密着して発生する金型からの離型時における凹凸部の一部欠損を防止することができる。
【００１０】
また、請求項２におけるストッパは、磁気ヘッドを有するアームに形成されている係止部と少なくとも当接する部位に使用されている低反撥材の材料硬度が９４乃至９８であるので、係止部と当接する部位に凹凸部が形成されていないで、しかも係止部がストッパに当接した状態で長時間放置された場合であっても係止部とストッパが固着若しくは粘着することを防止することができ、また反撥力が大きすぎることによる磁気ヘッドの読み取り精度の低下を防止することができる。
【発明を実施するための最良の形態】
【００１１】
つぎに本発明の実施例を図面にしたがって説明する。
【００１２】
図１は、本発明の実施例１にかかる磁気記録装置の平面図であり、図２は、図１における磁気記録装置の一部であるストッパ機構を示した水平断面図であり、図３は、同じくストッパ機構の垂直断面図である。
【００１３】
図１に示す磁気記録装置１は、ベース部２に記録媒体である磁気ディスク３と磁気ヘッド４を有したアーム５が配置されている。
【００１４】
アーム５は、回転軸６に対して回転自在に回転し、先端部に記録再生を行なう磁気ヘッド４を有するとともに、回転軸６を挟んで磁気ヘッド４と反対側には、後述するストッパ８と当接する係止部７が形成されていて、係止部７より上側にはボイスコイルモータ９が設けられている。係止部７は、アルミニウム等の金属で形成されていて、ストッパと当接する表面は平坦に形成されている。
【００１５】
アーム５が移動する所定量の移動範囲を規制する位置に、ストッパ８が立設されていて、係止部７とでストッパ機構を形成している。ストッパ８は緩衝機能を保持させるために通常エラストマで成形されていて、アーム５の係止部７が当接するときの反撥特性向上を目的にエラストマの中でも低反撥材であるウレタンエラストマが使用されている。また、図２・３に示す通り、ストッパ８の係止部７と当接する部位には、凹凸部１０が形成されている。
【００１６】
ストッパ８の係止部７と当接する部位に形成されている凹凸部１０の形状は、図４に示す粘着力と面粗さの関係より、面粗さが７乃至２５ＲＺＪＩＳであることが良く、そのためにはストッパ８を成形加硫するための金型の面粗さを２０乃至４０ＲＺに設定するのが良い。なお、ここでいう面粗さとは、ＪＩＳ  Ｂ０６０１：２００１の規定に従い、製品では十点平均粗さをいい、金型では最大粗さをいう。面粗さが７ＲＺＪＩＳ以下であると接着状態で放置した場合、ストッパに使用されているウレタンエラストマが高温で硬度が低下する特性を有しているために係止部と粘着若しくは固着を起こしてしまい、２５ＲＺＪＩＳ以上であるとストッパを加硫成形後に金型から離型した時に、ストッパに形成されている凹凸部の一部が引きちぎられて設計通りの表面形状を得ることができなくなり、ストッパの緩衝特性としてのバラツキが大きくなってしまうためである。
【００１７】
更に、図３に示す凸部の頂点と隣接する凸部の頂点との間隔である凹凸部の面粗さ周期Ｌは、３乃至３０μｍであることが良く、より好ましくは、４乃至２０μｍであることが良い。面粗さ周期Ｌが３μｍ以下であるとストッパを加硫成形後に金型から離型した時に、ストッパに形成されている凹凸部の一部が引きちぎられて設計通りの表面形状を得ることができなくなるとともに、使用時に係止部との当接面に変形（へたり）が発生するためであり、３０μｍ以上であると凹凸部を形成しないストッパの表面が平坦な場合と同様な状態となり、粘着若しくは固着を起こしてしまうためである。
【００１８】
即ち、上記構成によると、ストッパ８の係止部７と当接する部位に凹凸部１０が形成されていて、凹凸部１０の面粗さが７乃至２５ＲＺＪＩＳであり、面粗さ周期Ｌが３乃至３０μｍであるので、係止部７と当接する部位に低反撥材が使用されていて、係止部７がストッパ８に当接した状態で長時間放置された場合であっても、係止部７とストッパ８が固着若しくは粘着することを防止することが可能となり、またストッパ８の成形加硫時にストッパ８が成形加硫用金型に密着するために発生する金型からの離型時における凹凸部１０の一部欠損を防止することが可能となる。
【００１９】
本発明の別の実施例２では、ストッパ８の係止部７と当接する部位に凹凸部１０が形成されていないで、当該部位に使用されている低反撥材のウレタンエラストマの材料硬度であるＪＩＳ  Ａ硬度の値が９４乃至９８に設定されている。なお、ここでいうＪＩＳ  Ａ硬度とは、ＪＩＳ  Ｋ６２５３で規定されているゴム硬さをいう。ＪＩＳ  Ａ硬度が９４以下であると、図５に示す粘着力と材料硬度との関係より、係止部７がストッパ８に当接した状態で長時間放置された場合に係止部７とストッパ８が固着若しくは粘着するためであり、ＪＩＳ  Ａ硬度が９８以上であると、図６・７に示す反撥率と材料硬度との関係より、ストッパの反撥力が大きくなってしまい、磁気ヘッドの読み取り精度が低下するためである。
【００２０】
上記実施例２の構成においても、低反撥材であるウレタンエラストマのＪＩＳＡ硬度が９４乃至９８に設定されているので、係止部７がストッパ８に当接した状態で長時間放置された場合でも、係止部７とストッパ８が固着若しくは粘着することを防止することが可能となり、また、ストッパ８の反撥力が大きすぎることによる磁気ヘッド４の読み取り精度が低下するのを防止することが可能となる。
【００２１】
なお、上記実施例２では、ストッパ８に凹凸部が形成されていない場合について説明したが、凹凸部１０が形成されている場合であっても良い。また、実施例１若しくは実施例２のいずれかを選択するかは、ストッパ８の形状および要求特性により適宜選択するものとする。
【図面の簡単な説明】
【００２２】
【図１】本発明の実施例１にかかる磁気記録装置の平面図である。
【図２】図１におけるストッパ機構の水平断面図である。
【図３】図１におけるストッパ機構の垂直断面図である。
【図４】面粗さと粘着力の関係を示すグラフである。
【図５】材料硬度と粘着力の関係を示すグラフである。
【図６】材料硬度と反撥率の関係を示すグラフである。
【図７】材料硬度と反撥率の関係を示す表である。
【符号の説明】
【００２３】
１  磁気記録装置
２  ベース部
３  磁気ディスク
４  磁気ヘッド
５  アーム
６  回転軸
７  係止部
８  ストッパ
９  ボイスコイルモータ
１０  凹凸部
【図１】
2006040373.tif 000003
【図２】
2006040373.tif 000004
【図３】
2006040373.tif 000005
【図４】
2006040373.tif 000006
【図５】
2006040373.tif 000007
【図６】
2006040373.tif 000008
【図７】
2006040373.tif 000009